(57)【要約】【課題】包装箱の強度を低下させることなくカット作業を途切れることなくスムーズに行なえるようにした段ボール板製包装箱を提供する。【解決手段】外周を形成する２組の対向側板の上下方向の適所に全周に亘ってカット線が形成されてなる段ボール板製包装箱において、前記カット線は２本１組で、カット始端部にカット方向に外向きに斜めに折れ曲がる折れ曲がり部１７ａを備え、この折れ曲がり部１７ａから延びる直線部１７ｂが水平で互いに平行となるように形成され、直線部１７ｂの後端部には外向きの斜めの折れ曲がり部１７ｃを備えた部分が等間隔おきに形成されているジッパー状のカット線１６であり、カット方向において手前の切り目１７の後端部の折れ曲がり部１７ｃの終端と次の切り目１７の折れ曲がり部１７ａの始端との間にはカット方向に内向きのミシン目状のカット線１８が形成されている。【選択図】    図２
2006213380.tif 000002
【特許請求の範囲】
【請求項１】
外周を形成する２組の対向側板の上下方向の適所に全周に亘ってカット線が形成されてなる段ボール板製包装箱において、前記カット線は２本１組で、カット始端部にカット方向に外向きに斜めに折れ曲がる折れ曲がり部１７ａを備え、この折れ曲がり部１７ａから延びる直線部１７ｂが水平で互いに平行となるように形成され、直線部１７ｂの後端部には外向きの斜めの折れ曲がり部１７ｃを備えた部分が等間隔おきに形成されているジッパー状のカット線１６であり、カット方向において手前の切り目１７の後端部の折れ曲がり部１７ｃの終端と次の切り目１７の折れ曲がり部１７ａの始端との間にはカット方向に内向きのミシン目状のカット線１８が形成されていることを特徴とする段ボール板製包装箱。
【発明の詳細な説明】
【技術分野】
【０００１】
本発明は段ボール板製包装箱に関するものである。
【背景技術】
【０００２】
従来、店頭などで販売に供せられる商品（以下、被収納物と称す）を段ボール板製の包装箱に収納した状態でディスプレーするために、包装箱のほぼ上半分を切除すべく包装箱の外周を形成する２組の対向側板にジッパー状のカット線を形成したものが知られている。
【０００３】
その一例として特許文献１に開示されている段ボール板製包装箱のように、外周を形成する２組の対向側板の上下方向の適所に全周に亘ってカット線が形成されてなる段ボール板製包装箱において、前記カット線の一部または全てが、２本１組で各カット始端部に内側に斜めに折れ曲がる折れ曲がり部を備え、この折れ曲がり部から延びる直線部が互いに平行となるように形成され、直線部の後端部には外向きの斜めの折れ曲がり部を備えた部分が等間隔おきに分断部を挟んで形成されているジッパー状のカット線であるものが知られている。
【特許文献１】特開２００３−２８５８２６号公報
【発明の開示】
【発明が解決しようとする課題】
【０００４】
上記特許文献１に記載の段ボール板製包装箱が備えるジッパー状のカット線は、２本１組で各カット始端部に内側に斜めに折れ曲がる折れ曲がり部を備え、この折れ曲がり部から延びる直線部が互いに平行となるように形成され、直線部の後端部には外向きの斜めの折れ曲がり部を備えた部分が等間隔おきに分断部を挟んで形成されており、カット始端部からカット線に沿って引っ張ることにより直線部に繋がる外向きの斜めの折れ曲がり部と次のカット始端部との間の分断部との間の間隔が長いとカット線間の板部が繋がった状態で切り取られることが困難となり、切り取り作業の途中でカットが途切れるという問題がある。
【０００５】
そこで、このカットの途切れという問題を解決するためには外向きの斜めの折れ曲がり部と次のカット始端部との間の分断部との間の間隔を狭くするとカットの途切れという問題を解決することが可能となるのであるが、逆に段ボール板製包装箱の上下方向の強度が低下するという問題が生じる。
【０００６】
本発明の目的は、このような課題を解決するものであり、包装箱の強度を低下させることなくカット作業を途切れることなくスムーズに行なえるようにした段ボール板製包装箱を提供することにある。
【課題を解決するための手段】
【０００７】
本発明の請求項１に記載の段ボール板製包装箱は、外周を形成する２組の対向側板の上下方向の適所に全周に亘ってカット線が形成されてなる段ボール板製包装箱において、前記カット線は２本１組で、カット始端部にカット方向に外向きに斜めに折れ曲がる折れ曲がり部１７ａを備え、この折れ曲がり部１７ａから延びる直線部１７ｂが水平で互いに平行となるように形成され、直線部１７ｂの後端部には外向きの斜めの折れ曲がり部１７ｃを備えた部分が等間隔おきに形成されているジッパー状のカット線１６であり、カット方向において手前の切り目１７の後端部の折れ曲がり部１７ｃの終端と次の切り目１７の折れ曲がり部１７ａの始端との間にはカット方向に内向きのミシン目状のカット線１８が形成されていることを特徴とする。
【発明の効果】
【０００８】
以上のように、本発明の段ボール板製包装箱は、２組の対向側板にカット線が形成された段ボール板製の包装箱にあって、カット線としてカット始端部にカット方向に外向きに斜めに折れ曲がる折れ曲がり部８ａを備え、この折れ曲がり部８ａから延びる直線部８ｂが水平で互いに平行となるように形成され、直線部８ｂの後端部には外向きの斜めの折れ曲がり部８ｃを備えた部分が等間隔おきに形成されているジッパー状のカット線７を採用し、カット方向において手前の切り目８の後端部の折れ曲がり部８ｃの終端と次の切り目８の折れ曲がり部８ａの始端との間にはカット方向に内向きのミシン目状のカット線９が形成されているので、１つの切り目８の後端部の折れ曲がり部８ｃの終端と次の切り目８の折れ曲がり部８ａの始端との間隔を包装箱の強度を保持すべく広くしてあっても間にミシン目状のカット線９が存在するので、カットが途中で途切れることなくスムーズに行なえる。
【発明を実施するための最良の形態】
【０００９】
以下、本発明の一実施の形態を、図１〜図５を用いて具体的に説明する。
図において、段ボール板製包装箱は２組の対向側板の内、長辺側の一方の側板１の下端辺に底板２の一側辺が連設され、この底板２の他側辺に長辺側の他方の側板３の下端辺が連設され、この他方の側板３の上端辺に天板４の一側辺が連設され、この天板４の他側辺側の裏面を前記長辺側の一方の側板１の上端辺に連設した止め代５に接着剤で接合して横向きの胴部を形成し、この胴部の前記長辺側の側板１および３の両端に連設したフラップ６，７および８，９を側板１および３に対して内側に直角に折り曲げ、両側部において端面が互いに突き合わせ状態となったフラップ６および８ならびにフラップ７および９の外面に前記底板２および天板４の両端に連設したフラップ１０，１１および１２，１３を重ねて接着剤により互いに貼り合わせて２組の対向側板の内、短辺側の対向側板１４および１５を形成している。なお、短辺側の対向側板１４および１５において、フラップ６，８およびフラップ７，９の外面に対するフラップ１０，１１および１２，１３の重ね合わせ位置はフラップ６，８およびフラップ７，９の上下方向中間部を除く上下両端部である。
【００１０】
そして、このような段ボール板製包装箱において、包装箱の外周を形成する長辺側の側板１，３およびフラップ６，７，８，９の上下方向の中間部よりやや下側位置にジッパー状のカット線１６が表側のライナーを切らずにその内側の波板と裏側のライナーを切って形成する半切状態で形成されている。
【００１１】
詳しくは、ジッパー状のカット線１６は２本１組で、カット始端部がカット方向に外向きに斜めに折れ曲がり、この折れ曲がり部１７ａから延びる直線部１７ｂが水平で互いに平行となるように形成され、直線部１７ｂの後端部には外向きの斜めの折れ曲がり部１７ｃが形成されている。そして、折れ曲がり部１７ａと直線部１７ｂと折れ曲がり部１７ｃからなる１つの切り目１７と次の切り目１７との間、詳しくはカット方向において手前の切り目１７の後端部の折れ曲がり部１７ｃの終端と次の切り目１７の折れ曲がり部１７ａの始端との間にはカット方向に内向きのミシン目状のカット線１８が段ボール板を厚み方向に貫通するように全切状態で形成されている。
【００１２】
上記構成において、被収納物収納状態の包装箱のジッパー状のカット線１６をカットすることにより包装箱のほぼ上半分を切除する場合、包装箱の長辺側の側板１および３のカット線１６の途中に入れられたＩ型の切り込み部１９より指を掛けて摘み、カット線１６に沿って引っ張ることにより２本のカット線１６間の板部２０は帯状に切り取られ、包装箱のほぼ上半分が切除されて、被収納物が包装箱のほぼ下半分に収納された状態でディスプレーすることができる。
【００１３】
次に、前記カット線１６に沿ってカットする動作について詳細に説明すると、ジッパー状のカット線１６は１つの切り目１７の後端部の折れ曲がり部１７ｃの終端と次の切り目１７の折れ曲がり部１７ａの始端との間にカット方向に内向きに形成されたミシン目状のカット線１８により繋がっており、１つの切り目１７の後端部の折れ曲がり部１７ｃの終端と次の切り目１７の折れ曲がり部１７ａの始端との間隔を包装箱の強度を保持すべく広くしてあっても間にミシン目状のカット線１８が存在するので、カットが途中で途切れることなくスムーズに行なえる。
【００１４】
ところで、以上述べた実施の形態におけるカット線１６は包装箱の強度を考えると、上記したように表側のライナーを切らずにその内側の波板と裏側のライナーを切って形成する半切状態で形成されているのが好ましいが、段ボール板を厚み方向に貫通するように形成する全切状態であっても良い。あるいは、裏側のライナーのみを切って形成するライナーカット状でカット線１６が形成されていても良い。また、ミシン目状のカット線１８も表側のライナーを切らずにその内側の波板と裏側のライナーを切って形成する半切状態で形成されていても良く、あるいは裏側のライナーのみを切って形成するライナーカット状で形成されていても良い。また、包装箱の形式は図面に示すような所謂ラップラウンド形式のものに限定されるものではない。
【図面の簡単な説明】
【００１５】
【図１】本発明の一実施の形態における段ボール板製包装箱の内面側から見た展開図である。
【図２】図１の要部拡大図である。
【図３】同包装箱の組み立て完成状態を示す斜視図である。
【図４】同包装箱を上下に切り離す状態を示す斜視図である。
【図５】図４の要部拡大斜視図である。
【符号の説明】
【００１６】
１                      側板
２                      底板
３                      側板
４                      天板
６，７，８，９          フラップ
１０，１１，１２，１３    フラップ
１４，１５                側板
１６                      カット線
１７                      切り目
１７ａ                    折れ曲がり部
１７ｂ                    直線部
１７ｃ                    折れ曲がり部
１８                      カット線
１９                      切り込み部
２０                      板部
【図１】
2006213380.tif 000003
【図２】
2006213380.tif 000004
【図３】
2006213380.tif 000005
【図４】
2006213380.tif 000006
【図５】
2006213380.tif 000007